(57)【要約】【課題】アルバムＳ保管時と写真等の印刷用紙２の露出時との双方に好適なケース付きアルバムＡを提供する。【解決手段】本願発明においては、印刷用紙２を綴じているアルバムＳと、このアルバムＳを収容するアルバムケースＣとを具備するケース付きアルバムＡにおいて、前記アルバムＳを前記アルバムケースＣに収容した状態で、アルバムＳに綴じた用紙をアルバムケースＣの外側から視認できる態様と、前記アルバムＳを前記アルバムケースＣに収容した状態で、その外周全面を遮光する態様とを切換可能に構成している。【選択図】図１
2004009613.tif 000002
【特許請求の範囲】
【請求項１】
印刷物等の用紙を綴じている冊子と、この冊子を収容するケースとを具備するケース付き冊子において、
前記冊子を前記ケースに収容した状態で、冊子に綴じた用紙をケースの外側から視認できる態様と、
前記冊子を前記ケースに収容した状態で、その外周全面を遮光する態様とを切換可能に構成していることを特徴とするケース付き冊子。
【請求項２】
少なくともケースの一面及び冊子の表紙の一面を、外側から内側を視認可能な透明体または半透明体にて構成した露出部と、この露出部を選択的に遮光可能な遮光手段とを有していることを特徴とする請求項１記載のケース付き冊子。
【請求項３】
冊子の表表紙または裏表紙のいずれが一方を遮光する遮光手段を有すると共に、ケースの表壁体または裏壁体のいずれか一方を遮光する手段を具備し、ケースに対する冊子の収納方向を表裏反転させて収納することにより、前記冊子を前記ケースに収容した状態で、冊子の内部に綴じた用紙をケースの外側から視認できる態様と、前記冊子を前記ケースに収容した状態で、その外周全面を遮光する態様とを切換可能に構成していることを特徴とする請求項１または２記載のケース付き冊子。
【請求項４】
遮光手段として、冊子に綴じた遮光板を用いていることを特徴とする請求項１、２または３記載のケース付き冊子。
【請求項５】
前記遮光板を、冊子に綴じた用紙よりも大なる面積を有する構成としたことを特徴とする請求項４記載のケース付き冊子。
【請求項６】
前記ケースにこのケースを壁等に吊り下げ可能とする吊り下げ部を設けたことを特徴とする請求項１、２、３、４または５記載のケース付き冊子。
【請求項７】
前記ケースの側周部に遮光処理を施したことを特徴とする請求項１、２、３、４、５または６記載のケース付き冊子。
【請求項８】
前記冊子の表紙体または前記ケースを折り曲げて形成し、その折曲方向側の面に遮光処理を施すための印刷をすることを特徴とする請求項１、２、３、４、５、６または７記載のケース付き冊子。
【発明の詳細な説明】
【０００１】
【発明の属する技術分野】
本発明は、アルバム等の冊子を収納する際に利用されるものである。
【０００２】
【従来の技術】
近年、例えばデジタルカメラで撮影した写真などを自宅でインクジェット用紙に印刷し、ファイルに綴じてアルバム等を作成する事が多い。これらのアルバム等は埃などが被らないようにケースに収容されて保管される。
【０００３】
【発明が解決しようとする課題】
しかし、このようなファイルやケースは、デザイン的な面から透明や半透明のクリアなポリエステル等を素材に用いて構成されることが多いが、この素材は光を通すため、ファイルに綴じられた写真が退色してしまう。
【０００４】
一方、この退色を防止するためにケースの全面に対して遮光処理を施すと、ケースの色が濃くなってしまい、ケース内に収容されたものを見ることができないものとなっていた。
【０００５】
【課題を解決するための手段】
そこで、本発明は上記課題に着目してなされたものであり、印刷物等の用紙を綴じている冊子と、この冊子を収容するケースとを具備するケース付き冊子において、前記冊子を前記ケースに収容した状態で、冊子に綴じた用紙をケースの外側から視認できる態様と、前記冊子を前記ケースに収容した状態で、その外周全面を遮光する態様とを切換可能に構成していることを特徴とする。
【０００６】
これにより、必要なときにはファイルをケースに入れた状態でも内部を視認できるようにすることで、このファイルをフォトフレームなどとして使用することが可能となると共に、長期間保管しておく際などには完全に遮光を行い写真等の退色を効果的に防止することができる。従って、両者のメリットを享受した画期的な収納態様を実現することができる。
【０００７】
また、具体的な構成としては、少なくともケースの一面及び冊子の表紙の一面を、外側から内側を視認可能な透明体または半透明体にて構成した露出部と、この露出部を選択的に遮光可能な遮光手段とを有することが望ましい。
【０００８】
更に、冊子の表表紙または裏表紙のいずれが一方を遮光する遮光手段を有すると共に、ケースの表壁体または裏壁体のいずれか一方を遮光する手段を具備し、ケースに対する冊子の収納方向を表裏反転させて収納することにより、前記冊子を前記ケースに収容した状態で、冊子の内部に綴じた用紙をケースの外側から視認できる態様と、前記冊子を前記ケースに収容した状態で、その外周全面を遮光する態様とを切換可能に構成とすることで、簡単に遮光した態様と露出した態様を切り換えることが可能となる。
【０００９】
加えて、遮光手段として、冊子に綴じた遮光板を用いることにより、簡易な構成にて遮光できると共に、既存の冊子を援用することができる。
【００１０】
また、前記遮光板を、冊子に綴じた用紙よりも大なる面積を有する構成とすることで、確実に用紙を遮光する事ができる。
【００１１】
更に、前記ケースにこのケースを壁等に吊り下げ可能とする吊り下げ部を設けることで、壁等にも飾れるようにし、使用態様を一層多様化することができる。
【００１２】
加えて、前記ケースの側周部に遮光処理を施すことにより、側周部を額縁として見立てて写真等を飾ることができる。
【００１３】
また、前記冊子の表紙体または前記ケースを折り曲げて形成し、その折曲方向側の面に遮光処理を施すための印刷をすることにより、折り曲げ箇所においても確実に遮光を施すことができる。
【００１４】
【発明の実施の形態】
以下、本発明の一実施の形態を、図面を参照して説明する。
【００１５】
図１は、冊子であるアルバムＳをアルバムケースＣに収納した状態を示す斜視図であり、図２は、その収納工程を示す斜視図である。
【００１６】
このケース付きアルバムＡは、写真等を印刷した印刷用紙２をリングファイル１に綴じて作成したアルバムＳを、保存用のケースに収納可能としているものである。
【００１７】
尚、このアルバムＳに綴じられる印刷用紙２の作成は、家庭のパーソナルコンピュータを用いて所定のサイトから写真加工用のソフトをダウンロードし、デジタルカメラ等にて撮影した写真に加工を施す。そして、この写真等を印刷用光沢紙等のインクジェットプリンタ用紙に印刷して作成している。
【００１８】
以下、各構成について詳述する。
【００１９】
このアルバムケースＣは、内部に収容空間３７を形成したアルバムケース本体３と、このアルバムケース本体３を本棚等から取り出す際に際に利用される突出片４とから構成される。
【００２０】
アルバムケース本体３は、図１、図２に示すように、複数の壁体によって囲まれた収容空間３７を有する筐体であり、その収容空間３７に本やアルバムＳ等の収容物品を収容して保護するためのもので、一面を開口させてなる直方体形状をなす。
【００２１】
詳述すると、背壁体３３、表壁体３１、裏壁体３２、左右側壁体３４、３５からなり、前記背壁体３３に対向する面を開口させてアルバムＳを挿脱するための開口部３６を設けている。尚、この各壁体は、図３に示すように一枚のポリエステル素材から成るシートを折り曲げることにより構成するものである。
【００２２】
突出片４は、図２に示すように、このアルバムケース本体３に設けた開口部３６の端縁３６ａから突出した状態に形成されるものであり、前記裏壁体３２の中央部から連続的に延伸させているものである。尚、この突出片４は、図４に示すように、この突出片４を握持して本棚に収納したケースを引き出しやすくする摘み部としての機能を有している。
【００２３】
アルバムＳは、リングファイル１に前述した印刷用紙２を綴じることにより構成されるものである。
【００２４】
このリングファイル１は、図２に示すように、表裏一対の表表紙１１ａ及び裏表紙１１ｂと、これら表紙間に一体に設けた背表紙１１ｃとから構成される表紙体１１と、この表紙体１１の背表紙１１ｃに取り付けられるリング綴じ具１２とからなる。
【００２５】
表紙体１１は、図５に示すように、ポリエステル等を素材とする一枚のシートを折り曲げて構成されるものである。
【００２６】
リング綴じ具１２は、レバーを操作することにより、リング１２ａが開閉して前記印刷用紙２を綴じたり取り出すことができる３０孔用の既知のもので、長手方向に沿って同ピッチで配列してなる３０本のリング１２ａを具備している。
【００２７】
以上の構成から成るケース付きアルバムＡにおいて、本実施の形態においては、このケース付きアルバムＡを、アルバムＳの収納態様に応じてフォトフレームとしても使用できるように構成している。
【００２８】
具体的には、図１に示すように、アルバムケースＣの表面とリングファイル１の表紙とを半透明体にて構成し、前記アルバムＳを前記ケースに収容した状態で、アルバムＳに綴じた印刷用紙２をアルバムケースＣの外側から視認できるようにしている。更に、前記突出片４に孔４１を設けて吊り下げ部として利用し、このケース付きアルバムＡを壁Ｗ等に吊り下げられる構成としている。
【００２９】
加えて、本実施の形態のケース付きアルバムＡは、長期の保存等に考慮して、図６に示すように、前記アルバムＳをアルバムケースＣに収容した状態で、アルバムＳに綴じた印刷用紙２をアルバムケースＣの外側から視認できる態様と、図７に示すように、このアルバムＳをアルバムケースＣに収容した状態で、その外周全面を遮光する態様とを切換可能に構成している。
【００３０】
詳述すると、図１に示すように、このケース付きアルバムＡに、前記アルバムＳをアルバムケースＣに収容した状態で、アルバムＳに綴じた印刷用紙２をケースの外側から視認できる露出部６と、前記アルバムＳを前記ケースに収容した状態で、その外周全面を遮光する遮光手段とを設けている。
【００３１】
露出部６は、前記アルバムケースＣの表壁体３１と、前記アルバムＳの表紙体１１に設けた表表紙１１ａとを半透明体とすることで構成している。
【００３２】
具体的には、図３に示すように、前記アルバムケース本体３を透明素材にシボ加工を施して形成されたシートを折り畳むことにより構成している。そして、前記アルバムケース本体３の表壁体３１に相当する箇所を半透明体にて構成することでアルバムケース本体３の表面をケース内部を視認可能な半透明な面としている。また同様に、このアルバムケースＣに収納されるリングファイル１の表紙体１１を透明素材にシボ加工を施して形成されたシートを折り畳むことにより構成している。加えて、前記表紙体１１の表裏表紙１１ａ、１１ｂに相当する箇所を半透明体にて構成している。
【００３３】
そして、アルバムＳの表面がアルバムケースＣの表面と合わさる向きに収納することで、アルバムＳに綴じられた一枚目の印刷用紙２がケース外側より視認できる露出部６を構成している。
【００３４】
遮光手段は、前記露出部６を選択的に遮光する第一遮光手段５１と、このケース付きアルバムＡをフォトフレームとして利用する際にも常に外装を遮光する第二遮光手段５２とから構成され、長期収納時には、前記アルバムＳを前記ケースに収容した状態で、その外周全面を遮光できる機能を有している。
【００３５】
第一遮光手段５１は、リングファイル１に設けたリング綴じ具１２に綴じた遮光機能を有する遮光板５１ａにより構成される。この遮光板５１ａは、前記印刷用紙２よりも大なる面積を有するもので、収納される印刷用紙２の最も裏表紙１１ｂに近い側に綴じておくことでリングファイル１の裏面側を遮光面とする機能を発揮している。具体的には、この遮光板５１ａは、有色の用紙で構成し、表面を無地にすると共に裏面に注意書きや使用方法等を記載している。
【００３６】
第二遮光手段５２は、前記アルバムケース本体３の表壁体３１以外の箇所である裏壁体３２、背壁体３３及び左右側壁体３４、３５及び、リングファイル１の背表紙１１ｃとから構成されている。
【００３７】
具体的には、図３に示すように、前記アルバムケース本体３を形成する表壁体３１以外の箇所である裏壁体３２、背壁体３３及び左右側壁体３４、３５に相当する箇所に折り曲げ方向、つまり内面に遮光のための印刷処理を施している。言い換えると、前記アルバムケースＣは、その表面をアルバムケースＣ内部を視認可能な半透明とすると共に、その他の面、つまり前記表面と対向する位置に設けられた裏面及びケース付きアルバムＡの側周部５２ａの一部を構成する背側面、左右側面を遮光面としている。
【００３８】
一方、このケースに収納されるアルバムＳの表紙体１１の表裏面を内部を視認可能な半透明とすると共に、アルバムケース本体３の開口部３６を閉塞する背側面を遮光面として構成している。従って、ケース付きアルバムＡの側周部５２ａ、つまり、アルバムＳを収納した状態の上下左右面は遮光処理を施こされた状態となっている。
【００３９】
次ぎに、図６〜図８を用いて使用態様について説明する。
【００４０】
このケース付きアルバムＡを壁などに掛けてフォトフレームとして利用する際には、図６に示すように、アルバムＳをその表面とアルバムケースＣの表面とが合わさる方向に収納して露出部６を形成し、アルバムケースＣの外側から内部に綴じた印刷用紙２が視認できる態様とする。そして、アルバムケースＣに設けた突出片４をアルバムケースＣの外側に突出させて、吊り下げ部として利用し壁Ｗにピン等を介して吊り下げる。
【００４１】
一方、図７に示すように、本棚等に収納する際には、アルバムＳを前記収納方向と反転した方向、つまりアルバムＳの表面とアルバムケースＣの裏面とが合わさる方向に収納して、第二遮光手段５２である遮光板５１ａによりアルバムケースＣの表面を遮光する。これにより、露出部６を遮光して、ケース付きアルバムＡの外周全面を遮光した状態とする。
【００４２】
更に上記構成に加えて、本実施の形態においては、図１に示すように、ケース付きアルバムＡをフォトフレームとして使用した際に、前記リング綴じ具１２に綴じられた状態の用紙を、前記表表紙１１ａの裏面に対して近接させて鮮明に写真を堪能できるようにしている。
【００４３】
具体的には、前記印刷用紙２を表紙に係止させる係止手段７を設けると共に、この印刷用紙２を裏面から表表紙１１ａの裏面側に付勢する付勢手段８を設けて前記綴じ具に綴じられた状態の印刷用紙２を、前記表表紙１１ａの裏面に対して近接させている。
【００４４】
係止手段７は、図９、図１０に示すように、表紙体１１の表表紙１１ａの下端側縁部中央位置つまり、前記リング綴じ具１２と対向する側縁部近傍中央位置に、上向きに膨出する部分円弧状のスリット７１を設けて構成している。そして、リングファイル１に綴じる印刷用紙２のサイズを考慮した位置に前記スリット７１を設け、図１０や図１３等に示すように、リングファイル１を綴じた状態で印刷用紙２が無理なく係止できるようにしている。また、このスリット７１は、対向位置すなわち、表紙体１１の裏表紙１１ｂの下端側縁部中央位置にも設けられており、前述の遮光板５１ａを係止してリングファイル１の裏面に近接させる手段も備えている。
【００４５】
付勢手段８は、前記印刷用紙２と共にリング綴じ具１２に綴じた台紙を用紙の厚み方向に折り畳むことにより付勢するバックアップ部材８１にて構成されている。
【００４６】
このバックアップ部材８１は、図１１に示すように、印刷用紙２の３分の１程度の横幅を有する長方形状を成す台紙であり、その上端部にリング孔を設けて、印刷用紙２の裏面位置であり且つ前記リング綴じ具１２の中央位置に綴られ、この印刷用紙２の裏面上方部を付勢できるように構成しているものである。また、このバックアップ部材８１には、例えば、厚紙や樹脂製のシートなどを用いることが考えられる。
【００４７】
更に、横幅方向延びる第一屈曲部８１ａと第二屈曲部８１ｂを形成し、この屈曲部の折り込み具合に応じて前記リング綴じ具１２に綴じられた用紙の枚数に応じて付勢力が異なるように調整可能としている。
【００４８】
次ぎに使用態様について図１２〜図１６を用いて説明する。
【００４９】
図１２は、前記近接手段を全く使用していない場合の図であり、リング綴じ具１２に綴じられた最も表表紙１１ａ側に位置する印刷用紙２は、表表紙１１ａから離間した状態となっている。次ぎに、図１３は、前記係止手段７のみを用いた場合を示す図であり、飾りたい印刷用紙２の下端部中央位置を前記スリット７１に係止させることにより、印刷用紙２の下部を表表紙１１ａに近接させて、この印刷用紙２の表面をリングファイル１の裏面に対して離れないようにしている。更に、図１４〜図１６は、前記バックアップ部材８１を用いた図であり、印刷用紙２の上部をリングファイル１の裏面に対して付勢することにより近接させている。
【００５０】
詳述すると、図１４は、リングファイル１に綴じられた印刷用紙２の枚数が極少ない場合を表す図であり、第一屈曲部８１ａ及び第二屈曲部８１ｂを折り曲げてその両者の間に印刷用紙２の厚み方向に対する略水平な面を形成し、バックアップ部材８１の厚み寸法が最大となるようにして、少数の印刷用紙２とリングファイル１の裏表紙１１ｂとの間を埋めている。また、図１５は、印刷用紙２を４〜５枚程度綴じた状態を示す図であり、印刷用紙２とリングファイル１の裏表紙１１ｂとの隙間に合わせてバックアップ部材８１が形成する角度をずらして厚みを調節している。更に、図１６は、印刷用紙２を多数枚綴じた状態を示す図であり、一度第一屈曲部８１ａ及び第二屈曲部８１ｂの折り目を付けた後に広げて第一屈曲部８１ａ及び第二屈曲部８１ｂ間に形成される面で印刷用紙２の裏面を押圧する状態としてバックアップ部材８１の厚み寸法を短くしている。
【００５１】
更に、本実施形態においては、図１７に示すように、アルバムケースＣを吊り下げる吊り下げ部等として利用していた突出片４を、使用しない際にはアルバムケース本体３の端縁３６ａから突出しない状態に収納できるように構成した収納手段９と、突出片４を収納状態とした際に、この突出片４をアルバムケース本体３に対して保持させる保持手段１０とを設けている。
【００５２】
収納手段９は、突出片４の基端部、つまり開口部３６端縁３６ａ位置に設けた屈曲部にて上方に突出した突出片４をアルバムケース本体３側、つまり収納空間３７側に折り畳めるように構成している。
【００５３】
保持手段１０は、前記突出片４に近接する裏壁体３２に下向きに膨出する部分円弧状のスリット１０ａを設けると共に、このスリット１０ａに突出片４の一部を係止させて保持させるものである。
【００５４】
次ぎに使用態様を説明すると、図１に示すように、突出片４を壁等に吊り下げる吊り下げ部として利用したり、図４に示すように、本棚等からアルバムケースＣを引き出す際に利用する摘み部として利用したりする際には、図１８に示すように、突出片４を反アルバムケース本体３側に突出させて利用する。一方、この突出片４を利用せずに通常のケースのように使用する場合には、図１９に示すように、上述の収納手段９を用いて突出片４をアルバムケース本体３側に折り畳み突出しない状態とすると共に、この突出片４の上端部を前記スリット１０ａに係止させて突出片４をアルバムケース本体３に近接させ、この突出片４が邪魔にならないように保持しておく。
【００５５】
上記記載の構成の通り、本願発明においては、印刷用紙２を綴じているアルバムＳと、このアルバムＳを収容するアルバムケースＣとを具備するケース付きアルバムＡにおいて、前記アルバムＳを前記アルバムケースＣに収容した状態で、アルバムＳに綴じた用紙をアルバムケースＣの外側から視認できる態様と、前記アルバムＳを前記アルバムケースＣに収容した状態で、その外周全面を遮光する態様とを切換可能に構成している。
【００５６】
これにより、必要なときにはリングファイル１２をアルバムケースＣに入れた状態でも内部を視認できるようにすることで、このリングファイル１２をフォトフレームなどとして使用することが可能となると共に、長期間保管しておく際などには完全に遮光を行い写真等の退色を効果的に防止することができる。従って、両者のメリットを享受した画期的な収納態様を実現することができる。
【００５７】
更に、アルバムＳの裏表紙１１ｂを遮光する遮光板５１ａを有すると共に、アルバムケースＣの裏壁体３２を遮光する手段を具備し、アルバムケースＣに対するアルバムＳの収納方向を表裏反転させて収納することにより、簡単に遮光した態様と露出した態様とを切り換え可能とすることができる。
【００５８】
加えて、遮光手段として、アルバムＳに綴じた遮光板を用いることにより、簡易な構成にて遮光できると共に、既存のアルバムＳを援用することができる。
【００５９】
また、前記遮光板を、アルバムＳに綴じた用紙よりも大なる面積を有する構成とすることで、確実に印刷用紙を遮光する事ができる。
【００６０】
更に、前記アルバムケースＣにこのアルバムケースＣを壁Ｗ等に吊り下げ可能とする吊り下げ部を設けることで、壁等にも飾れるようにし、使用態様を一層多様化することができる。
【００６１】
加えて、前記アルバムケースＣの側周部に遮光処理を施すことにより、側周部を額縁として見立てて写真等を飾ることができる。
【００６２】
また、前記アルバムＳの表紙体または前記アルバムケースＣを折り曲げて形成し、その折曲方向側の面に遮光処理を施すための印刷をすることにより、折り曲げ箇所においても確実に遮光を施すことができる。
【００６３】
なお、本発明における構成は、以上説明したものに限定されないのは勿論である。例えば、本実施の形態においては、突出片４を折り畳むことにより収納したが、この突出片４をアルバムケース本体３内部にスライドできるように構成しても良い。また、アルバムケースＣ及びリングファイル１を半透明体にて構成したが、透明体にて構成しても同じ効果を奏する。更に、本実施の形態においては、リングファイル１の裏面を遮光する手段として遮光板５１ａを用いたが、リングファイル１の裏面に遮光処理を施す構成としてもよい。具体的には、リングファイル１の裏面に遮光処理のための印刷をすることが考えられる。加えて、アルバムＳ収納時に遮光板５１ａをアルバムケースＣ表面とアルバムＳの表面との間に差し込み、露出部６を遮光しても良い。また、上述の透明体としては、有色透明体及び無色透明体のどちらでも同様の効果を奏する。更に、本実施の形態においては、係止手段７及び付勢手段８により印刷用紙２の上部及び下部を表表紙１１ａに近接させているが、印刷した用紙に付く巻き癖に対処するために、印刷用紙２の中央部分を表紙に近接させる手段を設けても良い。具体的には、バックアップ部材８１を用いて印刷用紙２の中央部分も付勢するように構成することが考えられる。その他の構成も本発明の趣旨を逸脱しない範囲で種々変形が可能である。
【００６４】
【発明の効果】
本発明は、以上説明したような構成で実施され以下に記載されるような効果を奏する。
【００６５】
すなわち、本発明は、印刷物等の用紙を綴じている冊子と、この冊子を収容するケースとを具備するケース付き冊子において、前記冊子を前記ケースに収容した状態で、冊子に綴じた用紙をケースの外側から視認できる態様と、前記冊子を前記ケースに収容した状態で、その外周全面を遮光する態様とを切換可能に構成していることを特徴とする。
【００６６】
これにより、必要なときにはファイルをケースに入れた状態でも内部を視認できるようにすることで、このファイルをフォトフレームなどとして使用することが可能となると共に、長期間保管しておく際などには完全に遮光を行い写真等の退色を効果的に防止することができる。従って、両者のメリットを享受した画期的な収納態様を実現することができる。
【図面の簡単な説明】
【図１】本実施の形態におけるアルバムをアルバムケースに収容した状態を示す斜視図。
【図２】同実施の形態におけるアルバムをアルバムケースに収容する工程を示す斜視図。
【図３】同実施の形態におけるアルバムケースの展開図。
【図４】同実施の形態におけるケース付きアルバムを本棚等に収納した状態を示す斜視図。
【図５】同実施の形態における表紙体の展開図。
【図６】同実施の形態におけるアルバムを印刷用紙を露出状態として収納した状態を示す斜視図。
【図７】同実施の形態におけるアルバムを外周面を遮光した状態として収納した状態を示す斜視図。
【図８】同実施の形態におけるアルバムの収納工程を示す斜視図。
【図９】同実施の形態におけるアルバムを開いた状態を示す図。
【図１０】同実施の形態におけるアルバムを閉じた状態を示す図。
【図１１】同実施の形態におけるバックアップ部材。
【図１２】同実施の形態におけるケース付きアルバムの側面概略図。
【図１３】同実施の形態におけるケース付きアルバムの側面概略図。
【図１４】同実施の形態におけるケース付きアルバムの側面概略図。
【図１５】同実施の形態におけるケース付きアルバムの側面概略図。
【図１６】同実施の形態におけるケース付きアルバムの側面概略図。
【図１７】同実施の形態における突出片を収納した状態を示すアルバムケースの斜視図。
【図１８】同実施の形態における突出片を突出した状態を示すアルバムケースの正面図。
【図１９】同実施の形態における突出片を収納した状態を示すアルバムケースの正面図。
【符号の説明】
Ａ・・・ケース付き冊子（ケース付きアルバム）
Ｃ・・・ケース（アルバムケース）
Ｓ・・・冊子（アルバム）
Ｗ・・・壁
２・・・用紙（印刷用紙）
４・・・吊り下げ部（突出片）
６・・・露出部
１１・・・表紙体
１１ａ・・・表表紙
１１ｂ・・・裏表紙
３１・・・表壁体
３２・・・裏壁体
５１・・・遮光手段（第一遮光手段）
５１ａ・・・遮光板
５２ａ・・・側周部
【図１】
2004009613.tif 000003
【図２】
2004009613.tif 000004
【図３】
2004009613.tif 000005
【図４】
2004009613.tif 000006
【図５】
2004009613.tif 000007
【図６】
2004009613.tif 000008
【図７】
2004009613.tif 000009
【図８】
2004009613.tif 000010
【図９】
2004009613.tif 000011
【図１０】
2004009613.tif 000012
【図１１】
2004009613.tif 000013
【図１２】
2004009613.tif 000014
【図１３】
2004009613.tif 000015
【図１４】
2004009613.tif 000016
【図１５】
2004009613.tif 000017
【図１６】
2004009613.tif 000018
【図１７】
2004009613.tif 000019
【図１８】
2004009613.tif 000020
【図１９】
2004009613.tif 000021